(57)【特許請求の範囲】
【請求項１】
正負の電極板がセパレータを介して交互に積層された電極積層体と、
前記電極積層体が収納される収納凹部が形成されているケース本体、及び該ケース本体の開口を塞ぐ蓋を有する電池ケースと、
前記電極積層体を収納する電池ケースと、
前記電池ケースの内外を連通するように、前記蓋に設けられた正負の電極端子と、
前記電極積層体の前記電極板から延びているタブと前記電極端子とを電気的に接続する集電リードと、
前記電池ケースにおける前記ケース本体の内周面と対向する側板を有し、該側板により前記集電リードが収まる空間が形成されていると共に、前記電極端子の一方の端部が該空間内に入り込む端子貫通孔が形成されている絶縁性のリード絶縁カバーと、
を備え、
前記リード絶縁カバーは、互いに共同して前記空間及び前記端子貫通孔を形成する第一カバー部品と第二カバー部品とを有し、
前記第一カバー部品と前記第二カバー部品とは、それぞれ、互いに着脱可能に係合する係合部を有する、
ことを特徴とする電池。
【請求項２】
請求項１に記載の電池において、
前記第一カバー部品は、前記リード絶縁カバーの部分のうち、前記複数の電極板が積層されている第一方向の一方の側の部品を成し、前記第二カバー部品は、該リード絶縁カバーの部分のうち、該第一方向の他方の側の部品を成し、
前記第一カバー部品の前記係合部と前記第二カバー部品の前記係合部とを係合させたとき、前記第一方向に対して垂直な方向であって、前記電極積層体に対する前記電極端子の遠近方向である第二方向と、該第一方向及び該第二方向に垂直な第三方向と、に関して、該第一カバー部品を該第二カバー部品に対して相対移動不能に拘束する、
ことを特徴とする電池。
【請求項３】
請求項２に記載の電池において、
前記第一カバー部品は、前記係合部として、第一係合部及び第二係合部を有し、
前記第二カバー部品は、前記係合部として、前記第一カバー部品の前記第一係合部と係合する第一係合部と、前記第一カバー部品の前記第二係合部と係合する第二係合部を有し、
前記第一カバー部品の前記第一係合部には、前記第二方向の一方の向きに向いている係止面が形成され、前記第二カバー部品の前記第一係合部には、該係止面に接する被係止面が形成され、
前記第二カバー部品の前記第二係合部には、前記第二方向の前記一方の向きを向いている係止面が形成され、前記第一カバー部品の前記第二係合部には、該係止面に接する被係止面が形成されている、
ことを特徴とする電池。
【請求項４】
請求項２又３に記載の電池において、
前記第一カバー部品の前記係合部には、前記第三方向の一方の向きに向いている係止面と、該第三方向の他方の向きに向いている被係止面とが形成され、
前記第二カバー部品の前記係合部には、前記第一カバー部品の前記係止面に接触する被係止面と、前記第一カバー部品の前記被係止面が接触する係止面とが形成されている、
ことを特徴とする電池。
【請求項５】
請求項２から４のいずれか一項に記載の電池において、
前記第一カバー部品の前記係合部と、前記第二カバー部品の前記係合部とのうち、一方の係合部は、前記第一方向と異なる向きに突出した爪部と、該爪部の位置が該爪部の突出方向に変位可能に、該爪部を支持する弾性支持部を有し、
前記第一カバー部品の前記係合部と、前記第二カバー部品の前記係合部とのうち、他方の係合部は、前記爪部が入り込む凹部を有している、
ことを特徴とする電池。
【請求項６】
請求項１から５のいずれか一項に記載の電池において、
前記電池ケースには、該電池ケース内で発生したガスにより、該電池ケース内が所定圧力以上になると動作する安全弁が設けられ、
前記リード絶縁カバーは、前記空間側から前記安全弁に向かって貫通する第一ガス通過口が形成され、且つ、前記側板として、前記複数の電極板が積層されている積層方向である第一方向に垂直な方向であって、前記電極積層体に対する前記電極端子の遠近方向である第二方向にも垂直な第三方向において、互いに対向する一対の側板を有し、
前記リード絶縁カバーの前記一対の側板には、前記複数の電極板の外周辺であって、前記タブが伸びている外周辺に隣接する外周辺と前記電池ケースの内面との間に溜まった前記ガスを、前記空間内に導く第二ガス通過口が形成されている、
ことを特徴とする電池。
【請求項７】
請求項１から６のいずれか一項に記載の電池において、
前記第一カバー部品と前記第二カバー部品とは、同一形状で且つ同一寸法である、
ことを特徴とする電池。
【発明の詳細な説明】
【技術分野】
【０００１】
本発明は、複数の電極板が積層された電極積層体と、電極端子と、該電極積層体中の複数の電極板から伸びるタブを電極端子に電気的に接続する集電リードと、を備えている電池に関する。
【背景技術】
【０００２】
電池の種類の一つとして、例えば、特許文献１に記載されているように、複数の電極板が積層された電極積層体と、この電極積層体を収納する電池ケースと、この電池ケースに接続されている電極端子と、電極積層体中の複数の電極板から伸びるタブを電極端子に電気的に接続するリードと、を備えている電池がある。
【０００３】
この特許文献１に記載の技術では、リードが収まる空間となるリード取出し孔が形成されている絶縁部材を設け、電極積層体を収納する金属製の電池ケースの内面と、リードとの間の絶縁性を確保している。この技術では、電極積層体から伸びるタブと電池ケースの蓋に固定されている電極端子とをリードで接続した後では、絶縁部材のリード取出し孔にリードを入れることができなくなる。このため、この技術では、電極積層体のタブとリードの一方の端部とを接続した後、このリードを絶縁部材のリード取出し孔に入れ、この状態でリードの他方の端部と電極端子とを接続している。そして、電極積層体と電池ケースの蓋とがリードでつながり、且つこのリードに絶縁部材がぶら下がっている状態のものをハンドリングして、電極積層体を電池ケース内へ収納し、以降の製造作業を行っている。
【先行技術文献】
【特許文献】
【０００４】
【特許文献１】特開平１１−２７３６３８号公報
【発明の概要】
【発明が解決しようとする課題】
【０００５】
しかしながら、上記特許文献１に記載の技術では、前述したように、リードを絶縁部材のリード取出し孔に入れ、この状態のリードを電極端子に接続しなければならず、この接続作業が面倒である等、製造作業の手間がかさんでしまう。
【０００６】
そこで、本発明は、リードと電池ケースとの間の絶縁性を確保しつつ、製造作業の手間を軽減することができる電池を提供することを目的とする。
【課題を解決するための手段】
【０００７】
前記課題を解決するための電池に係る第一発明は、
正負の電極板がセパレータを介して交互に積層された電極積層体と、前記電極積層体が収納される収納凹部が形成されているケース本体、及び該ケース本体の開口を塞ぐ蓋を有する電池ケースと、前記電極積層体を収納する電池ケースと、前記電池ケースの内外を連通するように、前記蓋に設けられた正負の電極端子と、前記電極積層体の前記電極板から延びているタブと前記電極端子とを電気的に接続する集電リードと、前記電池ケースにおける前記ケース本体の内周面と対向する側板を有し、該側板により前記集電リードが収まる空間が形成されていると共に、前記電極端子の一方の端部が該空間内に入り込む端子貫通孔が形成されている絶縁性のリード絶縁カバーと、を備え、
前記リード絶縁カバーは、互いに共同して前記空間及び前記端子貫通孔を形成する第一カバー部品と第二カバー部品とを有し、前記第一カバー部品と前記第二カバー部品とは、それぞれ、互いに着脱可能に係合する係合部を有する、ことを特徴とする。
【０００８】
第一発明によれば、電極端子と電極積層体から伸びるタブとを集電リードで接続した後であっても、第一カバー部品と第二カバー部品とを係合して、リード絶縁カバーを構成すれば、このリード絶縁カバーの空間内に集電リードを収めることができる。
【０００９】
前記課題を解決するための電池に係る第二発明は、
前記第一発明において、前記第一カバー部品は、前記リード絶縁カバーの部分のうち、前記複数の電極板が積層されている第一方向の一方の側の部品を成し、前記第二カバー部品は、該リード絶縁カバーの部分のうち、該第一方向の他方の側の部品を成し、前記第一カバー部品の前記係合部と前記第二カバー部品の前記係合部とを係合させたとき、前記第一方向に対して垂直な方向であって、前記電極積層体に対する前記電極端子の遠近方向である第二方向と、該第一方向及び該第二方向に垂直な第三方向と、に関して、該第一カバー部品を該第二カバー部品に対して相対移動不能に拘束する、ことを特徴とする。
【００１０】
第二発明では、第一カバー部品の係合部と第二カバー部品の係合部とが係合すると、第二方向と第三方向との二方向に関して、第一カバー部品は第二カバー部品に対して相対移動不能に拘束されるので、両部品の係合状態を比較的容易に維持することができる。
【００１１】
前記課題を解決するための電池に係る第三発明は、
前記第二発明において、前記第一カバー部品は、前記係合部として、第一係合部及び第二係合部を有し、前記第二カバー部品は、前記係合部として、前記第一カバー部品の前記第一係合部と係合する第一係合部と、前記第一カバー部品の前記第二係合部と係合する第二係合部を有し、前記第一カバー部品の前記第一係合部には、前記第二方向の一方の向きに向いている係止面が形成され、前記第二カバー部品の前記第一係合部には、該係止面に接する被係止面が形成され、前記第二カバー部品の前記第二係合部には、前記第二方向の前記一方の向きを向いている係止面が形成され、前記第一カバー部品の前記第二係合部には、該係止面に接する被係止面が形成されている、ことを特徴とする。
【００１２】
第三発明では、各カバー部品に設けられた第一係合部及び第二係合部により、第二方向に関して、第一カバー部品を第二カバー部品に対して相対移動不能に拘束することができる。
【００１３】
前記課題を解決するための電池に係る第四発明は、
前記第二又は第三発明において、前記第一カバー部品の前記係合部には、前記第三方向の一方の向きに向いている係止面と、該第三方向の他方の向きに向いている被係止面とが形成され、前記第二カバー部品の前記係合部には、前記第一カバー部品の前記係止面に接触する被係止面と、前記第一カバー部品の前記被係止面が接触する係止面とが形成されている、ことを特徴とする。
【００１４】
第四発明では、係合部により、第三方向に関して、第一カバー部品を第二カバー部品に対して相対移動不能に拘束することができる。
【００１５】
前記課題を解決するための電池に係る第五発明は、
前記第二から第四のいずれか一の発明において、前記第一カバー部品の前記係合部と、前記第二カバー部品の前記係合部とのうち、一方の係合部は、前記第一方向と異なる向きに突出した爪部と、該爪部の位置が該爪部の突出方向に変位可能に、該爪部を支持する弾性支持部を有し、前記第一カバー部品の前記係合部と、前記第二カバー部品の前記係合部とのうち、他方の係合部は、前記爪部が入り込む凹部を有している、ことを特徴とする。
【００１６】
第五発明では、係合部により、第一方向に関して、第二カバー部品に対する第一カバー部品の相対移動を規制することができる。また、第一カバー部品と第二カバー部品とが係合していても、第一方向、つまり電極積層体の積層方向に関して、第二カバー部品に対して第一カバー部品をある程度相対移動させることができる。このため、電極積層体を構成する電極板の枚数の変更や電極板の厚み変更等の仕様変更に対応することができる。
【００１７】
前記課題を解決するための電池に係る第六発明は、
前記第一から第五のいずれか一の発明において、前記電池ケースには、該電池ケース内で発生したガスにより、該電池ケース内が所定圧力以上になると動作する安全弁が設けられ、前記リード絶縁カバーは、前記空間側から前記安全弁に向かって貫通する第一ガス通過口が形成され、且つ、前記側板として、前記複数の電極板が積層されている積層方向である第一方向に垂直な方向であって、前記電極積層体に対する前記電極端子の遠近方向である第二方向にも垂直な第三方向において、互いに対向する一対の側板を有し、前記リード絶縁カバーの前記一対の側板には、前記複数の電極板の外周辺であって、前記タブが伸びている外周辺に隣接する外周辺と前記電池ケースの内面との間に溜まった前記ガスを、前記空間内に導く第二ガス通過口が形成されている、ことを特徴とする。
【００１８】
第六発明では、リード絶縁カバーが存在していても、電極積層体で発生したガスを確実に安全弁へ導くことができる。
【００１９】
前記課題を解決するための電池に係る第七発明は、
前記第一から第六のいずれか一の発明において、前記第一カバー部品と前記第二カバー部品とは、同一形状で且つ同一寸法である、ことを特徴とする。
【００２０】
第七発明では、各カバー部品が同一部品であるため、製造コストを低減することができる。
【発明の効果】
【００２１】
本発明では、電極端子と電極積層体から伸びるタブとを集電リードで接続した後であっても、第一カバー部品と第二カバー部品とを係合して、リード絶縁カバーを構成すれば、このリード絶縁カバーの空間内に集電リードを収めることができ、集電リードと電池ケースとの間の絶縁性を確保することができる。したがって、本発明では、従来技術のように、集電リードと電池ケースとの間の絶縁性を確保する絶縁部材のリード取出し孔に、集電リードを入れた状態で、この集電リードを外部接続端子に接続するという、面倒な作業を回避することができる。さらに、電極積層体と電池ケースの蓋とが集電リードでつながり、且つこの集電リードに絶縁部材がぶら下がっている状態のものをハンドリングする作業も回避することできる。
【００２２】
よって、本発明によれば、電池の製造作業の手間を軽減することができる。
【図面の簡単な説明】
【００２３】
【図１】本発明に係る一実施形態における電池の展開斜視図である。
【図２】本発明に係る一実施形態における電池の要部切欠き斜視図である。
【図３】図２において、電池ケースを切り欠いた際のIII矢視図である。
【図４】本発明に係る一実施形態における、部品が未係合時のリード絶縁カバーの平面図である。
【図５】図４におけるＶ−Ｖ線断面図である。
【図６】図４におけるＶＩ−ＶＩ線断面図である。
【図７】本発明に係る一実施形態における、部品が未係合時のリード絶縁カバーの背面図である。
【図８】本発明に係る一実施形態における、部品が係合時のリード絶縁カバーの背面図（その１）である。
【図９】本発明に係る一実施形態における、部品が係合時のリード絶縁カバーの背面図（その２）である。
【図１０】本発明に係る一実施形態における第一変形例のリード絶縁カバーの断面図である。
【図１１】本発明に係る一実施形態における第二変形例のリード絶縁カバーの背面図である。
【発明を実施するための形態】
【００２４】
以下、本発明に係る電池の実施形態について、図面を用いて説明する。
【００２５】
本実施形態における電池は、図１及び図２に示すように、複数の正極板１０と、複数の負極板２０と、負極板２０を覆うセパレータ３０と、電解液と、これらを収納する金属製の電池ケース６０と、を備えている。
【００２６】
各電極板１０，２０は、アルミニウム箔や銅箔等の矩形状の芯材に、活物質等が付着した極板本体１１，２１と、この極板本体１１，２１の芯材の縁から伸びているタブ１４，２４と、を有している。負極板２０の極板本体２１は、セパレータ３０により完全に覆われ、負極板２０のタブ２４は、一部がセパレータ３０から露出している。
【００２７】
複数の正極板１０と、それぞれがセパレータ３０で覆われている複数の負極板２０とは、それぞれタブ１４，２４が同じ側へ突出するよう、交互に積層されて、電極積層体４０を形成している。複数の正極板１０と複数の負極板２０とが積層されている状態では、正極タブ１４と負極タブ２４とは、この積層の方向に対して垂直な方向に並んでいる。ここで、複数の正極板１０及び複数の負極板２０が積層されている積層方向をＺ方向（第一方向）、Ｚ方向に垂直な方向であって、正極タブ１４と負極タブ２４とが並んでいる方向をＸ方向（第三方向）、Ｚ方向及びＸ方向に垂直な方向をＹ方向（第二方向）とする。
【００２８】
電池ケース６０は、電極積層体４０が収納される直方体形状の収納凹部が形成されているケース本体６１と、このケース本体６１の矩形状の開口を塞ぐ蓋６５と、を有している。ケース本体６１は、矩形状を成し、互いに対向している一対の第一側板６３と、同じく矩形状を成し互いに対向する一対の第二側板６４と、矩形状の底板６２とを有し、これらの板６２，６３，６４で収納凹部を形成している。ここで、一対の第一側板６３は、Ｚ方向において互いに対向し、一対の第二側板６４は、Ｘ方向において互いに対向している。また、このケース本体６１の開口は、底板６２に対して（＋）Ｙ側に形成されている。
【００２９】
蓋６５は、ケース本体６１の矩形状の開口の形状に対応して矩形板状を成している。この蓋６５には、正極端子７０及び負極端子７５が絶縁材７９を介して固定されている。蓋６５には、さらに、正極端子７０と負極端子７５との中間位置に、電池ケース６０内の圧力が所定以上になると作動する安全弁７８が設けられている。ここで、正極端子７０と負極端子７５と安全弁７８とは、Ｘ方向に並んでいる。また、矩形板状の蓋６５の４角のうち、（＋）Ｚ側であって（−）Ｘ側の角の近傍、及び（−）Ｚ側であって（＋）Ｘ側の角の近傍には、ケース本体６１内に電解液を入れるための注入口６６が形成されている。但し、この注入口６６は、電池ケース６０内に電解液が入れられた後、封印される。
【００３０】
正極端子７０及び負極端子７５は、図１及び図３に示すように、それぞれ、蓋６５から電池ケース６０外へ、つまり（＋）Ｙ方向に突出した外部接続部７０ａ，７５ａと、蓋６５から電池ケース６０内へ、つまり（−）Ｙ方向に突出したリード接続部７０ｂ，７５ｂとを有している。なお、図３は、図２中のIII矢視図である。但し、図３において、電池ケース６０のみは断面である。
【００３１】
電極積層体４０の正極タブ１４は、図３に示すように、正極リード５０の一方の端部５０ａに融着され、この正極リード５０の他方の端部５０ｂは、例えば、ビス５７により、正極端子７０のリード接続部７０ｂと接続されている。また、電極積層体４０の負極タブ２４は、負極リード５５の一方の端部５５ａに融着され、この負極リード５５の他方の端部５５ｂは、例えば、ビス５７により、負極端子７５のリード接続部７５ｂと接続されている。
【００３２】
正極リード５０及び負極リード５５は、図２及び図３に示すように、電池ケース６０内で、絶縁性の樹脂で形成されているリード絶縁カバー１００で覆われている。言い換えると、このリード絶縁カバー１００は、これらのリード５０，５５が収まる空間１０１を形成する。また、このリード絶縁カバー１００には、図９に示すように、正極端子７０のリード接続部７０ｂ，７５ｂが貫通する円形の正極端子貫通孔１０２と、負極端子７５のリード接続部７０ｂ，７５ｂが貫通する円形の負極端子貫通孔１０３と、空間１０１から安全弁７８に向かって貫通する円形の第一ガス通過口１０４と、電池ケース６０本体の第二側板６４側から空間１０１内に向かって貫通する第二ガス通過口１０５と、電池ケース６０の蓋６５の注入口６６と連通する電解液通過口が形成されている。なお、図９は、リード絶縁カバー１００の背面図である。
【００３３】
リード絶縁カバー１００は、図１、図４〜図７に示すように、（＋）Z側の第一カバー部品１１０と、（−）Z側の第二カバー部品１５０とを有して構成されている。なお、これらの図は、いずれも、第一カバー部品１１０と第二カバー部品１５０とが離れている状態を示し、図４は、この状態でのリード絶縁カバー１００の平面図（（＋）Ｙ側からの矢視図）で、図５は図４中のＶ−Ｖ線断面図で、図６は図４中のＶＩ−ＶＩ線断面図で、図７はこの状態でのリード絶縁カバー１００の背面図（（−）Ｙ側からの矢視図）である。
【００３４】
第一カバー部品１１０及び第二カバー部品１５０は、それぞれ、電池ケース６０の蓋６５と対向する蓋対向板１１５，１５５と、電池ケース６０の一対の第二側板６４に対向する一対の第二側板１１２，１５２と、を有している。さらに、第一カバー部品１１０は、電池ケース６０の一対の第一側板６３のうち、（＋）Ｚ側の第一側板６３に対向する第一側板１１１を有し、第二カバー部品１５０は、電池ケース６０の（−）Ｚ側の第一側板６３に対向する第一側板１５１を有している。
【００３５】
第一カバー部品１１０の第一側板１１１と第二カバー部品１５０の第一側板１５１とは、Ｘ方向の長さが同じで、この長さは電池ケース本体６１の開口のＸ方向の幅より僅かに短い。また、第一カバー部品１１０の一対の第二側板１１２と第二カバー部品１５０の一対の第二側板１５２とは、Ｚ方向の長さが同じで、各第二側板１１２，１５２のＺ方向の長さを合わせた長さは、電池ケース本体６１の開口のＺ方向の幅より僅かに短い。
【００３６】
第一カバー部品１１０の蓋対向板１１５と、第二カバー部品１５０の蓋対向板１５５とは、互いに共同して、リード絶縁カバー１００の蓋対向板を形成する。また、第一カバー部品１１０の一方の第二側板１１２と、第二カバー部品１５０の一方の第二側板１５２とは、互いに共同して、リード絶縁カバー１００の一方の第二側板を形成し、第一カバー部品１１０の他方の第二側板１１２と、第二カバー部品１５０の他方の第二側板１５２とは、互いに共同して、リード絶縁カバー１００の他方の第二側板を形成する。また、第一カバー部品１１０の第一側板１１１は、この第一側板１１１のみで、リード絶縁カバー１００の一対の第一側板のうちの一方の第一側板を形成し、第二カバー部品１５０の第一側板１５１は、この第一側板１５１のみで、リード絶縁カバー１００の一対の第一側板のうちの他方の第一側板を形成する。
【００３７】
第一カバー部品１１０の蓋対向板１１５及び第二カバー部品１５０の蓋対向板１５５には、それぞれ、互いに着脱可能に係合する係合部１２１，１６１，…が形成されている。さらに、第一カバー部品１１０の蓋対向板１１５及び第二カバー部品１５０の蓋対向板１５５には、それぞれ、互いに共同して前述の正極端子貫通孔１０２を形成する正極端子割り孔１０２ａ，１０２ｂと、互いに共同して前述の負極端子貫通孔１０３を形成する負極端子割り孔１０３ａ，１０３ｂと、互いに共同して前述の第一ガス通過口１０４を形成する第一割り口１０４ａ，１０４ｂと、が形成されている。第一カバー部品１１０の正極端子割り孔１０２ａ、負極端子割り孔１０３ａ、及び第一割り口１０４ａ、さらに、第二カバー部品１５０の正極端子割り孔１０２ｂ、負極端子割り孔１０３ｂ、及び第一割り口１０４ｂの縁の形状は、いずれも半円状である。
【００３８】
第一カバー部品１１０の一対の第二側板１１２及び第二カバー部品１５０の一対の第二側板１５２には、それぞれ、互いに共同して、前述の第二ガス通過口１０５を形成する第二割り口１１３，１５３が形成されている。各割り口１１３，１５３は、各カバー部品１１０，１５０の第二側板１１２，１５２を、（−）Ｙ側から（＋）Ｙ側に向かって凹ませた矩形状の切欠きである。
【００３９】
第一カバー部品１１０の蓋対向板１１５，１５５の係合部には、Ｙ方向に垂直で且つ（＋）Ｙ向きに向いているＹ方向係止面１２７，１３４を有する第一係合部１２１，１３１と、Ｙ方向に垂直で且つ（−）Ｙ向きを向いているＹ方向被係止面１４７，１３８を有する第二係合部１４１，１３５とがある。また、第二カバー部品１５０の蓋対向板１１５，１５５の係合部には、Ｙ方向に垂直で且つ（−）Ｙ向きを向いているＹ方向被係止面１６７，１７４を有する第一係合部１６１，１７１と、Ｙ方向に垂直で且つ（＋）Ｙ向きを向いているＹ方向係止面１８７，１７８を有する第二係合部１８１，１７５とがある。
【００４０】
第一カバー部品１１０及び第二カバー部品１５０の第一係合部１２１，１３１，１６１，１７１は、第一カバー部品１１０と第二カバー部品１５０とのＺ方向の相対移動を規制する第一係合部（Ａ）１２１，１６１と、この相対移動を規制しない第一係合部（Ｂ）１３１，１７１とがある。また、第一カバー部品１１０及び第二カバー部品１５０の第二係合部１４１，１３５，１８１，１７５にも、第一カバー部品１１０と第二カバー部品１５０とのＺ方向の相対移動を規制する第二係合部（Ａ）１４１，１８１と、この相対移動を規制しない第二係合部（Ｂ）１３５，１７５とがある。
【００４１】
第一カバー部品１１０の第一係合部（Ａ）１２１と第二カバー部品１５０の第一係合部（Ａ）１６１とは、いずれも、対応カバー部品１１０，１５０の第一割り口１０４ａ，１０４ｂと負極端子割り孔１０３ａ，１０３ｂとの間に形成され、両係合部１２１，１６１は互いに係合する。また、第一カバー部品１１０の第一係合部（Ｂ）１３１と第二カバー部品１５０の第一係合部（Ｂ）１７１とは、いずれも、対応カバー部品１１０，１５０の（−）Ｘ側の第二側板１１２，１５２と正極端子割り孔１０２ａ，１０２ｂとの間に形成され、両者１３１，１７１は互いに係合する。
【００４２】
第一カバー部品１１０の第二係合部（Ａ）１４１と第二カバー部品１５０の第二係合部（Ａ）１８１とは、いずれも、対応カバー部品１１０，１５０の正極端子割り孔１０２ａ，１０２ｂと第一割り口１０４ａ，１０４ｂとの間に形成され、両係合部１４１，１８１は互いに係合する。また、第一カバー部品１１０の第二係合部（Ｂ）１３５と第二カバー部品１５０の第二係合部（Ｂ）１７５とは、いずれも、対応カバー部品１１０，１５０の負極端子割り孔１０３ａ，１０３ｂと（＋）Ｘ側の第二側板１１２，１５２との間に形成され、両者１３５，１７５は互いに係合する。
【００４３】
第一カバー部品１１０の第一係合部（Ｂ）１３１は、（−）Ｚ側、つまり第二カバー部品１５０側に突出した舌片部１３３と、蓋対向板１１５の（＋）Ｙ側の面つまり蓋対向面から（−）Ｙ側に凹んだ溝部１３２と、を有している。この舌片部１３３の（＋）Ｙ側の面と溝部１３２の底面とは、Ｙ方向に垂直で且つ（＋）Ｙ向きに向い、面一で、これらの面が前述のＹ方向係止面１３４を形成している。
【００４４】
第二カバーの第一係合部（Ｂ）１７１は、（＋）Ｚ側、つまり第一カバー部品１１０側に突出した舌片部１７３と、蓋対向板１５５の（−）Ｙ側の面つまり蓋対向板１５５の内面から（＋）Ｙ側に凹んだ溝部１７２と、を有している。この舌片部１７３の（−）Ｙ側の面と溝部１７２の底面とは、Ｙ方向に垂直で且つ（−）Ｙ向きに向いて、面一で、これらの面が、第一カバーの第一係合部（Ｂ）１３１のＹ方向係止面１３４に接するＹ方向被係止面１７４を形成している。
【００４５】
第一カバー部品１１０の第一係合部（Ｂ）１３１の溝部１３２は、第二カバー部品１５０の第一係合部（Ｂ）１７１の舌片部１７３が入り込めるよう、Ｘ方向の幅がこの舌片部１７３のＸ方向の幅より僅かに広い。また、第二カバー部品１５０の第一係合部（Ｂ）１７１の溝部１７２は、第一カバー部品１１０の第一係合部（Ｂ）１３１の舌片部１３３が入り込めるよう、Ｘ方向の幅がこの舌片部１３３のＸ方向の幅より僅かに広い。なお、本実施形態では、第一カバー部品１１０の第一係合部（Ｂ）１３１の溝部１３２と、第二カバー部品１５０の第一係合部（Ｂ）１７１の溝部１７２とは、溝幅及び溝深さが同じである。また、本実施形態では、第一カバー部品１１０の第一係合部（Ｂ）１３１の舌片部１３３と、第二カバー部品１５０の第一係合部（Ｂ）１７１の舌片部１７３とは、幅（Ｘ方向の寸法）及び厚み（Ｙ方向の寸法）が同じである。
【００４６】
各舌片部１３３，１７３で、Ｘ方向において対向している一対の側面のうち、（＋）Ｘ向きの面は、Ｘ方向係止面を形成し、（−）Ｘ向きの面は、Ｘ方向被係止面を形成している。また、各溝部１３２，１７２で、Ｘ方向において対向している一対の溝側面のうち、（＋）Ｘ向きの面は、Ｘ方向係止面を形成し、（−）Ｘ向きの面は、Ｘ方向被係止面を形成している。
【００４７】
各舌片部１３３，１７３のＸ方向係止面は、各舌片部１３３，１７３が対応する溝部１７２，１３２に入り込んだ際、対応溝部１７２，１３２のＸ方向被係止面と接する。また、各舌片部１３３，１７３のＸ方向被係止面は、各舌片部１３３，１７３が対応する溝部１７２，１３２に入り込んだ際、対応溝部１７２，１３２のＸ方向係止面と接する。
【００４８】
第一カバー部品１１０の第二係合部（Ｂ）１３５は、（−）Ｚ側、つまり第二カバー部品１５０側に突出した舌片部１３７と、蓋対向板１１５の内面から（＋）Ｙ側に凹んだ溝部１３６と、を有している。この舌片部１３７の（−）Ｙ側の面と溝部１３６の底面とは、Ｙ方向に垂直で且つ（−）Ｙ向きに向いて、面一で、これらの面が前述のＹ方向被係止面１３８を形成している。すなわち、この第一カバー部品１１０の第二係合部（Ｂ）１３５は、前述の第二カバー部品１５０の第一係合部（Ｂ）１７１と、点対称の関係であり、両者の向きが異なることを除いて、同一である。
【００４９】
第二カバー部品１５０の第二係合部（Ｂ）１７５は、（＋）Ｚ側、つまり第一カバー部品１１０側に突出した舌片部１７７と、蓋対向板１５５の蓋対向面から（−）Ｙ側に凹んだ溝部１７６と、を有している。この舌片部１７７の（＋）Ｙ側の面と溝部１７６の底面とは、面一であり、いずれもＹ方向に垂直で且つ（＋）Ｙ向きに向いている。そして、これらの面が、第一カバー部品１１０の第二係合部（Ｂ）１３５のＹ方向被係止面１３８に接するＹ方向係止面１７８を形成している。すなわち、この第二カバー部品１５０の第二係合部（Ｂ）１７５は、前述の第一カバー部品１１０の第一係合部（Ｂ）１３１と、点対称の関係であり、両者の向きが異なることを除いて、同一である。
【００５０】
第一カバー部品１１０の第一係合部（Ａ）１２１は、Ｘ方向に突出した爪部１２４を有する一対のＺ方向規制部１２３と、蓋対向面から（−）Ｙ側に凹んだ溝部１２２と、を有している。このＺ方向規制部１２３の（＋）Ｙ側の面と溝部１２２の底面とは、面一であり、いずれもＹ方向に垂直で且つ（＋）Ｙ向きに向いている。そして、これらの面がＹ方向係止面１２７を形成している。
【００５１】
一対のＺ方向規制部１２３のうち、一方のＺ方向規制部１２３は、（＋）Ｘ方向に突出した前述の爪部１２４と、この爪部１２４の位置がＸ方向に変位可能に、この爪部１２４を支持する弾性支持部１２５（図４参照）と、を有している。また、他方のＺ方向規制部１２３は、（−）Ｘ方向に突出した前述の爪部１２４と、この爪部１２４の位置がＸ方向に変位可能に、この爪部１２４を支持する弾性支持部１２５と、を有している。各弾性支持部１２５は、第一係合部（Ａ）１２１の溝部１２２の（＋）Ｚ側の縁から、（−）Ｚ方向に伸び、その先に爪部１２４が設けられている。
【００５２】
第二カバー部品１５０の第一係合部（Ａ）１６１は、第一カバー部品１１０側に突出した舌片部１６３と、蓋対向板１５５の内面から（＋）Ｙ側に凹んだ溝部１６２を有している。この舌片部１６３の（−）Ｙ側の面と溝部１６２の底面とは、Ｙ方向に垂直で且つ（−）Ｙ向きに向いて、面一で、これらの面が、第一カバー部品１１０の第一係合部（Ａ）１２１のＹ方向係止面１２７に接するＹ方向被係止面１６７を形成している。
【００５３】
第一係合部（Ａ）１６１の溝部１６２には、Ｘ方向において互いに対向する一対の溝側面ａと、この一対の溝側面ａの（−）Ｚ側の端辺をつなぐ溝側面ｂとが形成されている。この一対の溝側面ａには、それぞれ、一方の溝側面ａから他方の溝側面ａ側へ突出した突起１６４が形成されている。この溝側面ａのうち、突起１６４を基準にして（−）Ｚ側部分は、この突起１６４の頂点から相対的にＸ方向に凹み、第一カバー部品１１０の第一係合部（Ａ）１２１，の爪部１２４が入り込むＺ方向規制凹部１６８を成している。
【００５４】
第二カバー部品１５０の第一係合部（Ａ）１６１の突起１６４と、この第一係合部（Ａ）１６１の（−）Ｚ側の溝側面ｂとの間の距離、言い換えると、Ｚ方向規制凹部１６８のＺ方向の長さは、この凹部１６８に入り込む爪部１２４のＺ方向の幅より遥かに長い。このため、爪部１２４は、Ｚ方向規制凹部１６８，１４８に入り込むと、突起１６４により、そのＺ方向の移動が規制されるものの、Ｚ方向規制凹部１６８のＺ方向の長さと爪部１２４のＺ方向の幅との差分だけ、Ｚ方向に移動可能である。
【００５５】
第二カバー部品１５０の第二係合部（Ａ）１８１は、第一カバー部品１１０の第一係合部（Ａ）１２１と、点対称の関係であり、両者の向きが異なることを除いて、同一である。すなわち、第二カバー部品１５０の第二係合部（Ａ）１８１は、Ｘ方向に突出した爪部１１８４及びこれを支持する弾性支持部１８５を有する一対のＺ方向規制部１８３と、蓋対向面から（−）Ｙ側に凹んだ溝部１８２と、を有している。なお、このＺ方向規制部１８３の（＋）Ｙ側の面と溝部１８２の底面とは、面一であり、いずれもＹ方向に垂直で且つ（＋）Ｙ向きに向いている。そして、これらの面がＹ方向係止面１８７を形成している。
【００５６】
第一カバー部品１１０の第二係合部（Ａ）１４１は、第二カバー部品１５０の第一係合部（Ａ）１６１と、点対称の関係であり、両者の向きが異なることを除いて、同一である。すなわち、第一カバー部品１１０の第二係合部（Ａ）１４１は、第二カバー部品１５０側に突出した舌片部１４３と、蓋対向板１１５の内面から（＋）Ｙ側に凹んだ溝部１４２を有している。この舌片部１４３の（−）Ｙ側の面と溝部１４２の底面とは、Ｙ方向に垂直で且つ（−）Ｙ向きに向いて、面一で、これらの面が、第二カバー部品１５０の第二係合部（Ａ）１８１のＹ方向係止面１８７に接するＹ方向被係止面１４７を形成している。また、第二係合部（Ａ）１４１の溝部１４２において、Ｘ方向において互いに対向する一対の溝側面には、一方の溝側面から他方の溝側面側へ突出した突起１４４が形成されている。溝側面のうち、突起１４４を基準にして（＋）Ｚ側部分は、第二カバー部品１５０の第二係合部（Ａ）１８１の爪部１８４が入り込むＺ方向規制凹部１４８を成している。
【００５７】
第一カバー部品１１０の第一側板１１１と第二カバー部品１５０の第一側板１５１とには、それぞれ、他方の第一側板側に突出した突っ張り棒材１１７，１５７が設けられている。各突っ張り棒材１１７，１５７は、第一側板１１１，１５１におけるＸ方向の中央位置であって、第一側板１１１，１５１におけるＹ方向の中央位置に設けられている。各突っ張り棒材１１７，１５７の（＋）Ｙ側の面と、対応するカバー部品の蓋対向板１１５，１５５の内面との間には、隙間が存在する。これは、突っ張り棒材１１７，１５７の（＋）Ｙ側に、第一割り口１０４ａ，１０４ｂが存在し、第一カバー部品１１０と第二カバー部品１５０とが係合してリード絶縁カバー１００を構成した際、第一割り口１０４ａ，１０４ｂで形成される第一ガス通過口１０４の開口面積を確保するためである。
【００５８】
各突っ張り棒１１７，１５７のＺ方向の長さは、対応するカバー部品１１０，１５０の第二側板１１２，１５２のＺ方向の長さと同じである。このため、第一カバー部品１１０の第二側板１１２の（−）Ｚ側端面１１２ａと、第二カバー部品１５０の第二側板１５２の（＋）Ｚ側端面１５２ａとを突き合わせると、第一カバー部品１１０の突っ張り棒材１１７の（−）Ｚ側端面１１７ａと、第二カバー部品１５０の突っ張り棒材１５７の（＋）Ｚ側端面１５７ａとが当接することになる。
【００５９】
ところで、以上で説明した第一カバー部品１１０と第二カバー部品１５０とは、同一の物である。これは、例えば、図４において、第一カバー部品１１０を紙面内で１８０°回転させると、第二カバー部品１５０と完全に重なり合うことからも理解できる。したがって、繰り返すことになるが、第一カバー部品１１０の第一係合部（Ａ）１２１と第二カバー部品１５０の第二係合部（Ａ）１８１とは形状及びサイズが同一であると共に、部品内に位置の及び向きも同一である。以下、同様に、第一カバー部品１１０の第一係合部（Ｂ）１３１と第二カバー部品１５０の第二係合部（Ｂ）１７５とが同一で、第一カバー部品１１０の第二係合部（Ａ）１４１と第二カバー部品１５０の第一係合部（Ａ）１６１とが同一で、第一カバー部品１１０の第二係合部（Ｂ）１３５と第二カバー部品１５０の第一係合部（Ｂ）１７１とが同一である。
【００６０】
次に、電池の製造手順について説明する。
【００６１】
まず、アルミニウム箔や銅箔等の矩形状の芯材に活物質等を付着させて、各電極板１０，２０を形成する。次に、負極板本体２１をセパレータ３０で覆う。そして、複数の正極板１０と、それぞれがセパレータ３０で覆われている複数の負極板２０とを、交互に積層して、電極積層体４０を形成し、この電極積層体４０を絶縁シート４９（図３）で覆う。但し、この際、電極積層体４０のタブ１４，２４は、絶縁シート４９で覆わない。
【００６２】
次に、図３に示すように、電極積層体４０の正極タブ１４及び負極タブ２４のそれぞれに、リード５０，５５の一方の端部を融着する。続いて、治具を用いて、リード５０，５５を折り曲げる。そして、これらのリード５０，５５の他方の端部と、電池ケース６０の蓋６５に固定されている各端子７０，７５のリード接続部７０ｂ，７５ｂとを、例えば、ビス５７等で接続する。
【００６３】
電池ケース６０の蓋６５に固定されている各端子７０，７５と電極積層体４０とがリード５０，５５により接続された後、このリード５０，５５をリード絶縁カバー１００で覆う。このリード５０，５５をリード絶縁カバー１００で覆うタイミングとしては、電池ケース６０の蓋６５に固定されている各端子７０，７５と電極積層体４０とをリード５０，５５により接続した後から、図１に示すように、電極積層体４０を電池ケース本体６１内に入れるまで（リード５０，５５が電池ケース本体６１から露出している状態のときまで）の間である。
【００６４】
リード５０，５５をリード絶縁カバー１００で覆う際には、リード絶縁カバー１００の第一カバー部品１１０及び第二カバー部品１５０の各蓋対向板１１５，１５５を（＋）Ｙ側に向け、各カバー部品１１０，１５０の正極端子割り孔１０２ａ，１０２ｂを正極端子７０のリード接続部７０ｂ，７５ｂに対向させると共に、各カバー部品１１０，１５０の負極端子割り孔１０３ａ，１０３ｂを負極端子７５のリード接続部７０ｂ，７５ｂに対向させる。言い換えると、各端子７０，７５を挟むようして、第一カバー部品１１０の第一係合部（Ｂ）１３１と第二カバー部品１５０の第一係合部（Ｂ）１７１とを対向させ、第一カバー部品１１０の第二係合部（Ａ）１４１と第二カバー部品１５０の第二係合部（Ａ）１８１とを対向させ、第一カバー部品１１０の第一係合部（Ａ）１２１と第二カバー部品１５０の第一係合部（Ａ）１６１とを対向させ、第一カバー部品１１０の第二係合部（Ｂ）１３５と第二カバー部品１５０の第二係合部（Ｂ）１７５とを対向させる。
【００６５】
次に、各カバー部品１１０，１５０の相互間隔を狭める。この過程で、図１、図４〜図７に示すように、第一カバー部品１１０の第一係合部（Ｂ）１３１の溝部１３２内に、第二カバー部品１５０の第一係合部（Ｂ）１７１の舌片部１７３が入り込むと共に、第二カバー部品１５０の第一係合部（Ｂ）１７１の溝部１７２内に、第一カバー部品１１０の第一係合部（Ｂ）１３１の舌片部１３３が入り込む。すなわち、第一カバー部品１１０の第一係合部（Ｂ）１３１と第二カバー部品１５０の第一係合部（Ｂ）１７１とが係合する。この結果、第一カバー部品１１０の第一係合部（Ｂ）１３１の（＋）Ｙ側を向いているＹ方向係止面１３４と、第二カバー部品１５０の第一係合部（Ｂ）１７１の（−）Ｙ側を向いているＹ方向被係止面１７４とが接触する（特に、図５参照）。
【００６６】
さらに、第一カバー部品１１０の第一係合部（Ｂ）１３１のＸ方向係止面と、第二カバー部品１５０の第一係合部（Ｂ）１７１のＸ方向被係止面とが接触すると共に、第一カバー部品１１０の第一係合部（Ｂ）１３１のＸ方向被係止面と、第二カバー部品１５０の第一係合部（Ｂ）１７１のＸ方向係止面とが接触する。つまり、第一カバー部品１１０の第一係合部（Ｂ）１３１の舌片部１３３の両側面と、第二カバー部品１５０の第一係合部（Ｂ）１７１の溝部１７２の両溝側面とが接触し、第一カバー部品１１０の第一係合部（Ｂ）１３１の溝部１３２の両溝側面と、第二カバー部品１５０の第一係合部（Ｂ）１７１の舌片部１７３の両側面とが接触する。
【００６７】
このため、第一カバー部品１１０の第一係合部（Ｂ）１３１と第二カバー部品１５０の第一係合部（Ｂ）１７１とが係合すると、第二カバー部品１５０は、第一カバー部品１１０に対して、（±）Ｘ方向に相対移動できなくなる。この係合では、第一カバー部品１１０の第一係合部（Ｂ）１３１の（＋）Ｙ側を向いているＹ方向係止面１３４と、第二カバー部品１５０の第一係合部（Ｂ）１７１の（−）Ｙ側を向いているＹ方向被係止面１７４との接触で、Ｙ方向の相対移動を規制しているため、第二カバー部品１５０は、第一カバー部品１１０に対して、（−）Ｙ方向に相対移動できなくなるものの、（＋）Ｙ方向には相対移動可能である。
【００６８】
また、各カバー部品１１０，１５０の相互間隔を狭める過程で、第一カバー部品１１０の第二係合部（Ｂ）１３５の溝部１３６内に、第二カバー部品１５０の第二係合部（Ｂ）１７５の舌片部１７７が入り込むと共に、第二カバー部品１５０の第二係合部（Ｂ）１７５の溝部１７６内に、第一カバー部品１１０の第二係合部（Ｂ）１３５の舌片部１３７が入り込む。すなわち、第一カバー部品１１０の第二係合部（Ｂ）１３５と第二カバー部品１５０の第二係合部（Ｂ）１７５とが係合する。この結果、第一カバー部品１１０の第二係合部（Ｂ）１３５の（−）Ｙ側を向いているＹ方向被係止面１３８と、第二カバー部品１５０の第二係合部（Ｂ）１７５の（＋）Ｙ側を向いているＹ方向係止面１７８とが接触する。
【００６９】
さらに、第一カバー部品１１０の第二係合部（Ｂ）１３５のＸ方向係止面と、第二カバー部品１５０の第二係合部（Ｂ）１７５のＸ方向被係止面とが接触すると共に、第一カバー部品１１０の第二係合部（Ｂ）１３５のＸ方向被係止面と、第二カバー部品１５０の第二係合部（Ｂ）１７５のＸ方向係止面とが接触する。つまり、第一カバー部品１１０の第二係合部（Ｂ）１３５の舌片部１３７の両側面と、第二カバー部品１５０の第二係合部（Ｂ）１７５の溝部１７６の両溝側面とが接触し、第一カバー部品１１０の第二係合部（Ｂ）１３５の溝部１３６の両溝側面と、第二カバー部品１５０の第二係合部（Ｂ）１７５の舌片部１７７の両側面とが接触する。
【００７０】
このため、第一カバー部品１１０の第二係合部（Ｂ）１３５と第二カバー部品１５０の第二係合部（Ｂ）１７５とが係合すると、第二カバー部品１５０は、第一カバー部品１１０に対して、（±）Ｘ方向に相対移動できなくなる。この係合では、第一カバー部品１１０の第二係合部（Ｂ）１３５の（−）Ｙ側を向いているＹ方向被係止面１３８と、第二カバー部品１５０の第二係合部（Ｂ）１７５の（＋）Ｙ側を向いているＹ方向係止面１７８との接触で、Ｙ方向の相対移動を規制しているため、第二カバー部品１５０は、第一カバー部品１１０に対して、（＋）Ｙ方向に相対移動できなくなるものの、（−）Ｙ方向には相対移動可能である。
【００７１】
ところで、前述したように、第一カバー部品１１０の第一係合部（Ｂ）１３１と第二カバー部品１５０の第一係合部（Ｂ）１７１との係合で、第二カバー部品１５０は、第一カバー部品１１０に対して、（−）Ｙ方向に相対移動できなくなり、第一カバー部品１１０の第二係合部（Ｂ）１３５と第二カバー部品１５０の第二係合部（Ｂ）１７５との係合で、第二カバー部品１５０は、第一カバー部品１１０に対して、（＋）Ｙ方向に相対移動できなくなる。このため、第一カバー部品１１０の第一係合部（Ｂ）１３１と第二カバー部品１５０の第一係合部（Ｂ）１７１との係合、及び第一カバー部品１１０の第二係合部（Ｂ）１３５と第二カバー部品１５０の第二係合部（Ｂ）１７５との係合により、第二カバー部品１５０は、第一カバー部品１１０に対して、（±）Ｘ方向及び（±）Ｙ方向に相対移動できなくなる。
【００７２】
また、各カバー部品１１０，１５０の相互間隔を狭める過程で、第一カバー部品１１０の第一係合部（Ａ）１２１の溝部１２２内に、第二カバー部品１５０の第一係合部（Ａ）１６１の舌片部１６３が入り込むと共に、第二カバー部品１５０の第一係合部（Ａ）１６１の溝部１６２内に、第一カバー部品１１０の第一係合部（Ａ）１２１の一対のＺ方向規制部１２３が入り込む。このＺ方向規制部１２３が溝部１６２内に入り込む際、Ｚ方向規制部１２３のＸ方向に突出した爪部１２４が、溝側面のＸ方向に突出した突起１６４と接触する。この爪部１２４が溝側面の突起１６４と接触しても、さらに、Ｚ方向規制部１２３がさらに溝部１６２内に入り込もうとすると、この爪部１２４を支持する弾性支持部１２５がＸ方向に弾性変形し、爪部１２４のＸ方向の位置が変位して、爪部１２４は、溝側面の突起１６４を乗り越え、溝部１６２のＺ方向規制凹部１６８内に入り込む。これにより、第一カバー部品１１０の第一係合部（Ａ）１２１と第二カバー部品１５０の第一係合部（Ａ）１６１とが係合する。
【００７３】
この結果、第一カバー部品１１０の第一係合部（Ａ）１２１の（＋）Ｙ側を向いているＹ方向係止面１２７と、第二カバー部品１５０の第一係合部（Ａ）１６１の（−）Ｙ側を向いているＹ方向被係止面１６７とが接触する（特に、図６参照）。さらに、第一カバー部品１１０の第一係合部（Ａ）１２１の各爪部１２４の先端と、第二カバー部品１５０の第一係合部（Ａ）１６１のＺ方向規制凹部１６８の底面、つまり、溝部１６２の溝側面に接触する。
【００７４】
このため、第一カバー部品１１０の第一係合部（Ａ）１２１と第二カバー部品１５０の第一係合部（Ａ）１６１とが係合すると、第二カバー部品１５０は、第一カバー部品１１０に対して、（±）Ｘ方向に相対移動が規制されると共に、（−）Ｙ方向に相対移動できなくなる。さらに、第二カバー部品１５０の第一係合部（Ａ）１６１の溝部内であって、Ｘ方向に凹んでいるＺ方向規制凹部１６８内に、第一カバー部品１１０の第一係合部（Ａ）１２１のＸ方向に突出した爪部１２４が入り込んでいるため、第二カバー部品１５０は、第一カバー部品１１０に対して、Ｚ方向の相対移動が規制される。但し、Ｚ方向規制凹部１６８のＺ方向の長さが爪部１２４のＺ方向の幅より長く、爪部１２４は、Ｚ方向規制凹部１６８のＺ方向の長さと爪部１２４のＺ方向の幅との差分だけ、Ｚ方向に相対移動可能であるから、第二カバー部品１５０は、第一カバー部品１１０に対して、この差分だけ、Ｚ方向に相対移動できる。
【００７５】
また、各カバー部品の相互間隔を狭める過程で、第一カバー部品１１０の第二係合部（Ａ）１４１の溝部１４２内に、第二カバー部品１５０の第二係合部（Ａ）１８１の一対のＺ方向規制部１８３が入り込むと共に、第二カバー部品１５０の第二係合部（Ａ）１８１の溝部１８２内に、第一カバー部品１５０の第二係合部（Ａ）１４１の舌片部１４３が入り込む。この場合も、前述の場合と同様、第一カバー部品１１０の第二係合部（Ａ）１４１の溝部１４２のＺ方向規制凹部１４８内に、第二カバー部品１５０の第二係合部（Ａ）１８１の爪部１８４が入り込む。これにより、第一カバー部品１１０の第二係合部（Ａ）１４１と第二カバー部品１５０の第二係合部（Ａ）１８１とが係合する。
【００７６】
この結果、第一カバー部品１１０の第二係合部（Ａ）１４１の（−）Ｙ側を向いているＹ方向被係止面１４７と、第二カバー部品１５０の第二係合部（Ａ）１８１の（＋）Ｙ側を向いているＹ方向係止面１８７とが接触する。さらに、第二カバー部品１５０の第二係合部（Ａ）１８１の各爪部１８４の先端と、第一カバー部品１１０の第二係合部（Ａ）１４１のＺ方向規制凹部１４８の底面、つまり、溝部１４２の溝側面に接触する。
【００７７】
このため、第一カバー部品１１０の第二係合部（Ａ）１４１と第二カバー部品１５０の第二係合部（Ａ）１８１とが係合すると、第二カバー部品１５０は、第一カバー部品１１０に対して、（±）Ｘ方向に相対移動が規制されると共に、（＋）Ｙ方向に相対移動できなくなる。さらに、第一カバー部品１１０の第二係合部（Ａ）１４１の溝部１４２内であって、Ｘ方向に凹んでいるＺ方向規制凹部１４８内に、第二カバー部品１５０の第二係合部（Ａ）１８１のＸ方向に突出した爪部１８４が入り込んでいるため、第二カバー部品１５０は、第一カバー部品１１０に対して、Ｚ方向の相対移動が規制される。但し、この場合も、Ｚ方向規制凹部１４８のＺ方向の長さと爪部１８４のＺ方向の幅との差分だけ、第二カバー部品１５０は、第一カバー部品１１０に対して、Ｚ方向に相対移動できる。
【００７８】
なお、前述したように、第一カバー部品１１０の第一係合部（Ａ）１２１と第二カバー部品１５０の第一係合部（Ａ）１６１との係合で、第二カバー部品１５０は、第一カバー部品１１０に対して、（−）Ｙ方向に相対移動できなくなり、第一カバー部品１１０の第二係合部（Ａ）１４１と第二カバー部品１５０の第二係合部（Ａ）１８１との係合で、第二カバー部品１５０は、第一カバー部品１１０に対して、（＋）Ｙ方向に相対移動できなくなる。このため、第一カバー部品１１０の第一係合部（Ａ）１２１と第二カバー部品１５０の第一係合部（Ａ）１６１との係合、及び第一カバー部品１１０の第二係合部（Ａ）１４１と第二カバー部品１５０の第二係合部（Ａ）１８１との係合により、第二カバー部品１５０は、第一カバー部品１１０に対して、（±）Ｙ方向に相対移動できなくなる。
【００７９】
ところで、Ｚ方向において、各カバー部品の相互間隔を狭める過程で、第一カバー部品１１０の第二側面１１２の（−）Ｚ側端面１１２ａと、第二カバー部品１５０の第二側面１５２の（＋）Ｚ側端面１５２ａとが突き当たり、第一カバー部品１１０の突っ張り棒材１１７の（−）Ｚ側端面１１７ａと、第二カバー部品１５０の突っ張り棒材１５７の（＋）Ｚ側端面１５７ａとが突き当たると、各カバー部品１１０，１５０の相互間隔をこれ以上狭めることはできない。すなわち、第二カバー部品１５０は、第一カバー部品１１０に対して、これらの端面相互の突き当たりにより、（＋）Ｚ方向に相対移動できなくなる。
【００８０】
第一カバー部品１１０に対する第二カバー部品１５０を（＋）Ｚ方向に相対移動させる場合、まず、第二カバー部品１５０の第一係合部（Ａ）１６１のＺ方向規制凹部１６８内に、第一カバー部品１１０の第一係合部（Ａ）１２１の爪部１２４が入り込み、これと同時に、第一カバー部品１１０の第二係合部（Ａ）１４１のＺ方向規制凹部１４８内に、第二カバー部品１５０の第二係合部（Ａ）１８１の爪部１８４が入り込み、その後、上記端面相互が突き当たる。このため、各Ｚ方向規制凹部１６８，１４８に対応する爪部１２４，１８４が入り込んだ状態で、言い換えると、第一カバー部品１１０と第二カバー部品１５０とが係合している状態で、第二カバー部品１５０は、第一カバー部品１１０に対して、図８に示すように、Ｚ方向規制凹部１６８，１４８に対応する爪部１２４，１８４が入り込んだ直後のＺ方向の当該部品１５０の相対位置から、図９に示すように、上記端面相互が突き当る、当該部品１５０の相対位置までの間で、Ｚ方向に相対移動できる。
【００８１】
以上のように、第一カバー部品１１０が第二カバー部品１５０に係合すると、第二カバー部品１５０は、第一カバー部品１１０に対して、Ｘ方向及びＹ方向の相対移動ができなくなると共に、Ｚ方向では相対移動の範囲が制限させる。
【００８２】
第一カバー部品１１０が第二カバー部品１５０に係合し、これらの部品１１０，１５０によりリード絶縁カバー１００が構成されると、このリード絶縁カバー１００内に各リード５０，５５は収まる。具体的には、各リード５０，５５の（±）Ｘ方向がリード絶縁カバー１００の一対の第二側板１１２，１５２で遮られ、各リードの（＋）Ｙ方向がリード絶縁カバー１００の蓋対向板１１５，１５５で遮られ、各リードの（±）Ｚ方向がリード絶縁カバー１００の第一側板１１１，１５１で遮られる。
【００８３】
次に、電極積層体４０、この電極積層体４０に接続されているリード５０，５５、このリード５０，５５を覆っているリード絶縁カバー１００を、電池ケース本体６１内に完全に入れて、このケース本体６１の開口を蓋６５で塞ぐ。この際、リード絶縁カバー１００の第一カバー部品１１０の第一側板１１１と第二カバー部品１５０の第一側板１５１とのＺ方向の間隔を、Ｚ方向の相対移動可能な範囲内で狭めてから、このリード絶縁カバー１００を電池ケース本体６１内に入れることが好ましい。そして、蓋６５の縁と電池ケース本体６１の縁とを溶接する。
【００８４】
次に、蓋６５の注入口６６から、電池ケース６０内に電解液を注入する。この電解液は、蓋６５の注入口６６からリード絶縁カバー１００の電解液通過口１１６，１５６を通って、電池ケース６０内に流れ込む。電池ケース６０内に、所定量の電解液を注入すると、蓋６５の注入口６６を封止する。
【００８５】
この電池において、各リード５０，５５と電池ケース６０の一対の第一側板６３との間の絶縁は、リード絶縁カバー１００の一対の第一側板１１１，１５１で確保され、各リード５０，５５と電池ケース６０の一対の第二側板６４との間の絶縁は、リード絶縁カバー１００の第二側板１１２，１５２で確保される。また、各リード５０，５５と電池ケース６０の蓋６５との間の絶縁は、リード絶縁カバー１００の蓋対向板１１５，１５５で確保される。
【００８６】
以上、本実施形態では、リード絶縁カバー１００が、リード収納空間１０１を互いに共同して形成する二つの部品１１０，１５０で構成されているので、電極端子７０，７５と電極積層体４０から伸びるタブ１４，２４とをリード５０，５５で接続した後でも、二つの部品１１０，１５０を係合させれば、リード５０，５５は空間１０１内に収まり、リード５０，５５と電池ケース６０との間の絶縁性を確保することができる。したがって、従来技術のように、リードと電池ケースとの間の絶縁性を確保する絶縁部材のリード取出し孔に、リードを入れた状態で、このリードを外部接続端子に接続するという、面倒な作業を回避することができる。さらに、電極積層体と電池ケースの蓋とがリードでつながり、且つこのリードに絶縁部材がぶら下がっている状態のものをハンドリングする作業も回避することできる。よって、電池の製造作業の手間を軽減することができる。
【００８７】
さらに、本実施形態では、リード絶縁カバー１００の第一カバー部品１１０の第一側板１１１と第二カバー部品１５０の第一側板１５１とのＺ方向の間隔を所定の範囲内で変えることができるので、電極積層体４０の電極板の枚数変更や、電極板の厚み変更等の仕様変更に対応することができる。
【００８８】
また、本実施形態では、リード絶縁カバー１００を二つの部品１１０，１５０で構成しているものの、二つの部品１１０，１５０は同一のものであるため、リード絶縁カバー１００の製造コストを抑えることができる。
【００８９】
なお、本実施形態では、第一カバー部品１１０に対する第二カバー部品１５０のＺ方向の相対移動を規制するために、Ｘ方向に突出した爪部１２４，１８４と、Ｘ方向に凹んだＺ方向規制凹部１６８，１４８を設けているが、この爪部１２４，１８４の突出方向及びこの凹部１６８，１４８の凹み方向は、Ｚ方向と異なっていれば、Ｘ方向である必要はなく、例えば、図１０に示すように、爪部１２４ａをＹ方向に突出させ、Ｚ方向規制凹部１６４ａをＹ方向に凹ませてもよい。
【００９０】
また、本実施形態では、図７に示すように、第一カバー部品１１０及び第二カバー部品１５０において、（−）Ｘ側から順に、第一係合部（Ｂ）１３１，１７１、第二係合部（Ａ）１４１，１８１、第一係合部（Ａ）１２１，１６１、及び第二係合部（Ｂ）１３５，１７５を設けているが、図１１に示すように、第一カバー部品１１０及び第二カバー部品１５０において、（−）Ｘ側から順に、第一係合部（Ｂ）１３１，１７１、第二係合部（Ｂ）１３５，１７５、第一係合部（Ｂ）１３１，１７１、及び第二係合部（Ｂ）１３５，１７５を設けてもよい。この場合、部品１１０，１５０相互のＺ方向の相対移動を規制する係合部（Ａ）１４１，１８１がないため、第一カバー部品１１０に対して第二カバー部品１５０は、Ｚ方向に自由に相対移動することができる。すなわち、本発明は、第一カバー部品１１０と第二カバー部品１５０とが係合し、この係合状態において、リード絶縁カバー１００が構成されていればよく、第一カバー部品１１０に対して第二カバー部品１５０が、必ずしも、特定の方向に相対移動できないようにする必要はない。また、第一カバー部品１１０及び第二カバー部品１５０において、（−）Ｘ側から順に、第一係合部（Ａ）１２１，１６１、第二係合部（Ａ）１４１，１８１、第一係合部（Ａ）１２１，１６１、及び第二係合部（Ａ）１４１，１８１を設けてもよい。
【００９１】
また、本実施形態では、第一カバー部品１１０及び第二カバー部品１５０において、第一係合部（Ｂ）１３１，１７１、第二係合部（Ａ）１４１，１８１、第一係合部（Ａ）１２１，１６１、及び第二係合部（Ｂ）１３５，１７５を設けているが、第二係合部（Ａ）１４１，１８１及び第一係合部（Ａ）１２１，１６１のみを設けてもよいし、第一係合部（Ｂ）１３１，１７１及び第二係合部（Ｂ）１３５，１７５のみを設けてもよい。
【符号の説明】
【００９２】
１０：正極板、１１：正極板本体、１４：正極タブ１４、２０：負極板、２１：負極板本体、２４：負極タブ、３０：セパレータ、４０：電極積層体、５０：正極リード、５５：負極リード、６０：電池ケース、６１：ケース本体、６５：蓋、７０：正極端子、７５：負極端子、７８：安全弁、１００：リード絶縁カバー、１０１：リード収納空間、１０２：正極端子貫通孔、１０２ａ，１０２ｂ：正極端子割り孔、１０３：負極端子貫通孔、１０３ａ，１０３ｂ：負極端子割り孔、１０４：第一ガス通過口、１０４ａ，１０４ｂ：第一割り口、１０５：第二ガス通過口、１１０：第一カバー部品、１２１，１６１：第一係合部（Ａ）、１３１，１７１：第一係合部（Ｂ）、１４１，１８１：第二係合部（Ａ）、１３５，１７５：第二係合部（Ｂ）、１２２，１３２，１３６，１４２，１６２，１７２，１７６，１８２：溝部、１３３，１３７，１４３，１６３，１７３，１７７：舌片部、１２７，１３４，１７８，１８７：Ｙ方向係止面、１３８，１４７，１７４，１６７：Ｙ方向被係止面、１２３，１８３：Ｚ方向係合部、１２４，１８４：爪部、１４４，１６４：突起、１４８，１６８：Ｚ方向規制凹部、１５０：第二カバー部品
【図１】
0005331085.tif 000002
【図２】
0005331085.tif 000003
【図３】
0005331085.tif 000004
【図４】
0005331085.tif 000005
【図５】
0005331085.tif 000006
【図６】
0005331085.tif 000007
【図７】
0005331085.tif 000008
【図８】
0005331085.tif 000009
【図９】
0005331085.tif 000010
【図１０】
0005331085.tif 000011
【図１１】
0005331085.tif 000012